(57)【要約】【課題】手指の滑り止め効果の高いハウジングを有し、モーター正転逆転レバーの操作性を向上させ、相手建材を傷付け辛く、暗い場所でも目立つ電動ドライバーを提供すること。【解決手段】ハンドル１０左右方向のバッテリー受け部１３上面に二層目の樹脂２０を夫々設ける。更に、正転逆転レバー２２の貫通穴入り口２３の周囲に一層目の樹脂２１を露出させ、その周囲に二層目の樹脂２０を施す。加えて、４本のネジ全てのハウジング２における突起ネジボス２５に二層目の樹脂２０を配設する。更に、二層目の樹脂２０に光を反射するパール粉もしくは金属粉を成分に含ませる。【選択図】      図１
2004174670.tif 000002
【特許請求の範囲】
【請求項１】
駆動源であるモーターを収容する本体胴体部と、ハンドル部と、該ハンドル部下部にバッテリー着脱可能なバッテリー受け部を一体に備えたハウジングを有し、且つ、一層目の樹脂を射出成形した前記ハウジングに、前記一層目の樹脂より軟質の二層目の樹脂を射出成形し熱溶着された前記ハウジングを有する電動ドライバーにおいて、前記ハンドル左右方向の前記バッテリー受け部上面に前記二層目の樹脂を配設したことを特徴とする電動ドライバー。
【請求項２】
駆動源であるモーターを収容する本体胴体部とハンドル部を一体に備えたハウジングを有し、且つ、一層目の樹脂を射出成形した前記ハウジングに、前記一層目の樹脂より軟質の二層目の樹脂を射出成形し熱溶着された前記ハウジングを有する電動ドライバーにおいて、前記モーターの回転方向を制御する正転逆転レバーの貫通穴入り口の周囲に前記一層目の樹脂を露出させ、更にその周囲に前記二層目の樹脂を施したことを特徴とする電動ドライバー。
【請求項３】
ハンマーケースに４本のネジで接合され、モーターを収容する本体胴体部とハンドル部を一体に備えたハウジングを有し、且つ、一層目の樹脂を射出成形した前記ハウジングに、前記一層目の樹脂より軟質の二層目の樹脂を射出成形し熱溶着された前記ハウジングを有する電動ドライバーにおいて、前記４本のネジ全ての前記ハウジングにおける突起ネジボスに前記二層目の樹脂を施したことを特徴とする電動ドライバー。
【請求項４】
駆動源であるモーターを収容する本体胴体部と、ハンドル部を一体に備えたハウジングを有し、且つ、一層目の樹脂を射出成形した前記ハウジングに、前記一層目の樹脂より軟質の二層目の樹脂を射出成形し熱溶着された前記ハウジングを有する電動ドライバーにおいて、前記二層目の樹脂に光を反射するパール粉もしくは金属粉を成分に含むことを特徴とする電動ドライバー。
【発明の詳細な説明】
【０００１】
【発明の属する技術分野】
本発明は、ハウジング二層成形される電動ドライバーに関するものである。
【０００２】
【従来の技術】
図３に示すとおり、二層目の樹脂２０は一層目の樹脂２１｛格子斜線部｝より軟質のため、ハンドル部１０を把握する手指の滑り止めの目的からハンドル部１０に配設されていた。
更に、図３及び図４（Ａ）に示すとおり、二層目の樹脂２０は軟質で手指の感触が良いから、正転逆転レバー２２の貫通穴入り口２３周辺に配設させる必要性があり、二層目の樹脂２０は貫通穴内部２４まで設けられていた。
また、図３に示すとおり、二層目の樹脂２０は相手建材保護のため、ハウジング２から突出した上方二つのネジボス２５に配設されていた。
【０００３】
【発明が解決しようとする課題】
図３の電動ドライバーは、手指の滑り止め効果が不十分であった。
更に、図３及び図４（Ａ）の電動ドライバーは、図４（Ａ）に示すとおり、金型構造上貫通穴内部２４に二層目の樹脂２０のバリ２６が発生し、正転逆転レバー２２の軸方向の摺動に不具合を生じるという問題点があった。
加えて、図３の電動ドライバーは、ハウジング２から突出した下方二つのネジボス２５で相手建材を傷付けてしまう問題があった。
更に、配線工事が完了されていないことが多い建築現場では、日没の撤収時に電動ドライバーが見つかり辛いという問題点があった。
本発明の目的は、上記問題点を解決し、充分な手指の滑り止め効果を有し、正転逆転レバーの操作性を向上させ、相手建材を傷付け辛く、暗い場所でも目立つ電動ドライバーを提供することである。
【０００４】
【課題を解決するための手段】
上記目的を達成するために、請求項１に記載の発明は、駆動源であるモーターを収容する本体胴体部と、ハンドル部と、該ハンドル部下部にバッテリー着脱可能なバッテリー受け部を一体に備えたハウジングを有し、且つ、一層目の樹脂を射出成形した前記ハウジングに、前記一層目の樹脂より軟質の二層目の樹脂を射出成形し熱溶着された前記ハウジングを有する電動ドライバーにおいて、前記ハンドル左右方向の前記バッテリー受け部上面に前記二層目の樹脂を配設したことを特徴とするものである。
請求項２に記載の発明は、駆動源であるモーターを収容する本体胴体部とハンドル部を一体に備えたハウジングを有し、且つ、一層目の樹脂を射出成形した前記ハウジングに、前記一層目の樹脂より軟質の二層目の樹脂を射出成形し熱溶着された前記ハウジングを有する電動ドライバーにおいて、前記モーターの回転方向を制御する正転逆転レバーの貫通穴入り口の周囲に前記一層目の樹脂を露出させ、更にその周囲に前記二層目の樹脂を施したことを特徴とするものである。
請求項３に記載の発明は、ハンマーケースに４本のネジで接合され、モーターを収容する本体胴体部とハンドル部を一体に備えたハウジングを有し、且つ、一層目の樹脂を射出成形した前記ハウジングに、前記一層目の樹脂より軟質の二層目の樹脂を射出成形し熱溶着された前記ハウジングを有する電動ドライバーにおいて、前記４本のネジ全ての前記ハウジングにおける突起ネジボスに前記二層目の樹脂を施したことを特徴とするものである。
請求項４に記載の発明は、駆動源であるモーターを収容する本体胴体部と、ハンドル部を一体に備えたハウジングを有し、且つ、一層目の樹脂を射出成形した前記ハウジングに、前記一層目の樹脂より軟質の二層目の樹脂を射出成形し熱溶着された前記ハウジングを有する電動ドライバーにおいて、前記二層目の樹脂に光を反射するパール粉もしくは金属粉を成分に含むことを特徴とするものである。
【０００５】
【発明の実施の形態】
以下、本発明フックの一実施形態を図面に基づいて説明する。
【０００６】
図２は、本発明のフックの装着構造を適用したインパクトドライバの全体説明図で、電動ドライバー１は、ハウジング２及びハンマケース３内で、アンビル４と同軸上に配置されたモータ５により回転する遊星ギヤ部６で回転が減速され、遊星ギヤ部６にスピンドル７を介在して連結されるハンマ８によりアンビル４が回転打撃されるもので、ハウジング２ａとハウジング２ｂがネジ止めされることで、胴体部９と該胴体部９の下方に延設されたハンドル１０が形成されており、胴体部９後方に風窓１１が、ハンドル１０上半部内にはスイッチ１２が、下半部内にはバッテリー受け部１３とバッテリー１４の一部が夫々配設される。
図１はハウジング２に二層成形される電動ドライバー１の斜視説明図で、図１に示すように、一層目の樹脂２１を射出成形した後に、一層目の樹脂より軟質の二層目の樹脂２０｛格子斜線部｝を射出成形し熱溶着された前記ハウジング２を有すが、ハンドル１０に加え、手指が接触するハンドル１０左右方向のバッテリー受け部１３上面にも二層目の樹脂２０を配設することで、より効果的な手指の滑り止めが実現できる。
更に、図１及び図４（Ｂ）に示すように、正転逆転レバー２２の貫通穴入り口２３の周囲に一層目の樹脂２１を露出させ、更にその周囲に二層目の樹脂２０を施す構成とすることで、バリ２６は貫通穴内部２４にできてしまうことが無く正転逆転レバー２２の摺動がスムーズになる。
次に、図１及び図２右側面図に示すとおり、４本のネジ全てのハウジング２における突起ネジボス２５に軟質な二層目の樹脂２０を施しすことにより、相手建材１７を傷付けにくくなる。
加えて、一層目の樹脂２１は強度上ガラス繊維が配合されているため発色が悪く不可能であったが、強度を必要としないため透過性がより高い二層目の樹脂２０に、光を反射するパール粉もしくは金属分を混ぜることで、懐中電灯等の光を当てるとその光を反射するシルバー色やゴールド色等をまとった電動ドライバーが提供でき、夜間の暗い建築現場で電動ドライバーを見つけ易い。
最後に、以上説明した二層成形の構成は、例示した電動ドライバーに限らず、丸のこ、スクリュードライバー、ドライバードリル、等の電動工具に幅広く適用可能である。
【図面の簡単な説明】
【図１】本発明の一実施形態を備えた電動ドライバーを示す、斜視図。
【図２】本発明の一実施形態を備えた電動ドライバーを示す、全体正面図及び、右側面図。
【図３】従来の電動ドライバーを示す、斜視図。
【図４】（Ａ）は従来の電動ドライバーを示す、図２のＡ−Ａ線相当断面図。（Ｂ）は本発明の一実施形態を備えた電動ドライバーを示す、図２のＡ−Ａ線相当断面図。
【符号の説明】
２はハウジング、１０はハンドル、１３はバッテリー受け部、２０は二層目の樹脂、２１は一層目の樹脂、２２は正転逆転レバー、２３は貫通穴入り口、２５は突起ネジボスである。
【図１】
2004174670.tif 000003
【図２】
2004174670.tif 000004
【図３】
2004174670.tif 000005
【図４】
2004174670.tif 000006